(57)【特許請求の範囲】
【請求項１】
便器に設置される衛生洗浄装置であって、
吐水口を有し、前記吐水口から水を噴射して使用者の身体を洗浄するノズルと、
殺菌水を生成可能な殺菌水生成手段と、
前記殺菌水生成手段により生成した殺菌水で前記ノズルを殺菌する制御と、異常があると判断したときに前記使用者の身体を洗浄する機能を停止する制御と、を実行し、前記異常があると判断した場合でも前記殺菌水で前記ノズルを殺菌する制御を実行することがある制御部と、
を備えたことを特徴とする衛生洗浄装置。
【請求項２】
便器に設置され、水を噴射して使用者の身体を洗浄する衛生洗浄装置であって、
殺菌水を生成可能な殺菌水生成手段と、
前記殺菌水生成手段により生成した殺菌水で前記便器を殺菌する制御と、異常があると判断したときに前記使用者の身体を洗浄する機能を停止する制御と、を実行し、前記異常があると判断した場合でも前記殺菌水で前記便器を殺菌する制御を実行することがある制御部と、
を備えたことを特徴とする衛生洗浄装置。
【請求項３】
人体を検知する人体検知手段をさらに備え、
前記制御部は、前記異常があると判断した場合には、前記人体検知手段が人体を検知すると前記殺菌水で前記殺菌する制御を実行することを特徴とする請求項１または２に記載の衛生洗浄装置。
【請求項４】
前記制御部は、前記異常があると判断しない場合には、前記殺菌水生成手段による前記殺菌を定期的に実行し、前記異常があると判断した場合には、前記異常があると判断しない場合よりも長い時間間隔で前記殺菌を定期的に実行することを特徴とする請求項１または２に記載の衛生洗浄装置。
【請求項５】
前記便器に洗浄水を流す便器洗浄の指示を入力する便器洗浄スイッチをさらに備え、
前記制御部は、前記異常があると判断した場合には、前記便器洗浄スイッチへの前記指示の入力に応じて前記殺菌水で前記殺菌する制御を実行することを特徴とする請求項１〜３のいずれか１つに記載の衛生洗浄装置。
【請求項６】
前記制御部は、前記異常があると判断した後に前記異常があると判断しない状態に変化すると前記殺菌水で前記殺菌する制御を実行することを特徴とする請求項１または２に記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
温度検知センサの検知温度が所定時間以上にわたって所定の上限温度以上になった場合に温水洗浄装置を停止状態におくように制御する温水洗浄装置の制御方法がある（特許文献１）。また、例えば、便座に座った使用者の局部などの身体に水を噴射するノズルを殺菌する機能や、便器のボウルを殺菌する機能などを有する衛生洗浄装置がある。
【０００３】
ここで、例えば便座に座った使用者の局部などの身体を洗浄する洗浄水の温度が異常であることを温度検知センサが検知した場合などにおいて、特許文献１に記載された制御方法のように衛生洗浄装置を停止状態とする制御が実行されると、使用者は、衛生洗浄装置の機能を利用することができない。この場合、使用者は、衛生洗浄装置の機能を利用することができない一方で、便器を使用することは可能である。そのため、ノズルや便器のボウルを殺菌する機能により抑制されていた菌の繁殖が生じやすくなる。
【０００４】
より具体的には、例えばピンクスライムなどと呼ばれるメチロバクテリウムや、黒かびなどの細菌がノズルやボウルに付着し、そのノズルやボウルに菌が繁殖するおそれがある。そして、菌が繁殖することにより、例えばバイオフィルムなどと呼ばれるバクテリアおよびその分泌物の集まり（ぬめり、黒色汚れ）が形成されると、衛生洗浄装置は、異常が回復して殺菌動作を実行しても、そのバイオフィルムを除去することは困難となる。
【先行技術文献】
【特許文献】
【０００５】
【特許文献１】特開２００１−２２７０３５号公報
【発明の概要】
【発明が解決しようとする課題】
【０００６】
本発明は、かかる課題の認識に基づいてなされたものであり、異常により機能が停止した場合でも、菌が繁殖することを抑制することができる衛生洗浄装置を提供することを目的とする。
【課題を解決するための手段】
【０００７】
第１の発明は、便器に設置される衛生洗浄装置であって、吐水口を有し、前記吐水口から水を噴射して使用者の身体を洗浄するノズルと、殺菌水を生成可能な殺菌水生成手段と、前記殺菌水生成手段により生成した殺菌水で前記ノズルを殺菌する制御と、異常があると判断したときに前記使用者の身体を洗浄する機能を停止する制御と、を実行し、前記異常があると判断した場合でも前記殺菌水で前記ノズルを殺菌する制御を実行することがある制御部と、を備えたことを特徴とする衛生洗浄装置である。
【０００８】
この衛生洗浄装置によれば、制御部は、殺菌水生成手段により生成した殺菌水でノズルを殺菌する制御と、異常があると判断したときに使用者の身体を洗浄する機能を停止する制御と、を実行する。また、制御部は、身体を洗浄する機能を停止する異常があったと判断した場合でも、ノズルを殺菌することができる。そのため、身体を洗浄する機能が停止した場合でも、流路の内部や、ノズルの吐水口の部分や、ノズルの胴体において菌が繁殖することを抑制することができる。これにより、身体を洗浄する機能を停止する異常がある状態が、その異常がない状態に変化した後、流路の内部や、ノズルの吐水口の部分や、ノズルの胴体を清潔な状態に保つことができる。
【０００９】
また、第２の発明は、便器に設置され、水を噴射して使用者の身体を洗浄する衛生洗浄装置であって、殺菌水を生成可能な殺菌水生成手段と、前記殺菌水生成手段により生成した殺菌水で前記便器を殺菌する制御と、異常があると判断したときに前記使用者の身体を洗浄する機能を停止する制御と、を実行し、前記異常があると判断した場合でも前記殺菌水で前記便器を殺菌する制御を実行することがある制御部と、を備えたことを特徴とする衛生洗浄装置である。
【００１０】
この衛生洗浄装置によれば、制御部は、殺菌水生成手段により生成した殺菌水で便器を殺菌する制御と、異常があると判断したときに前記使用者の身体を洗浄する機能を停止する制御と、を実行する。また、制御部は、身体を洗浄する機能を停止する異常があったと判断した場合でも、便器を殺菌することができる。そのため、身体を洗浄する機能が停止した場合でも、流路の内部や、便器のボウルの表面において菌が繁殖することを抑制することができる。これにより、身体を洗浄する機能を停止する異常がある状態が、その異常がない状態に変化した後、流路の内部や、便器のボウルの表面を清潔な状態に保つことができる。
【００１１】
また、第３の発明は、第１または第２の発明において、人体を検知する人体検知手段をさらに備え、前記制御部は、前記異常があると判断した場合には、前記人体検知手段が人体を検知すると前記殺菌水で前記殺菌する制御を実行することを特徴とする衛生洗浄装置である。
【００１２】
この衛生洗浄装置によれば、制御部は、身体を洗浄する機能を停止する異常があると判断した場合には、人体検知手段が人体を検知した場合にだけノズルおよび便器の少なくともいずれかを殺菌することができる。より具体的には、制御部は、身体を洗浄する機能を停止する異常があることを判断した場合には、使用者が衛生洗浄装置および便器の少なくともいずれかを使用した後にだけノズルおよび便器の少なくともいずれかを殺菌することができる。そのため、身体を洗浄する機能を停止する異常がない場合よりもノズルおよび便器の殺菌の回数を減らすことができる。これにより、異常が発生している衛生洗浄装置の負担を軽減することができる。
【００１３】
また、第４の発明は、第１または第２の発明において、前記制御部は、前記異常があると判断しない場合には、前記殺菌水生成手段による前記殺菌を定期的に実行し、前記異常があると判断した場合には、前記異常があると判断しない場合よりも長い時間間隔で前記殺菌を定期的に実行することを特徴とする衛生洗浄装置である。
【００１４】
この衛生洗浄装置によれば、制御部は、身体を洗浄する機能を停止する異常があると判断した場合には、異常があると判断しない場合よりも長い時間間隔でノズルおよび便器の少なくともいずれかの殺菌を定期的に実行する。そのため、異常が発生している衛生洗浄装置の負担を軽減することができる。
【００１５】
また、第５の発明は、第１〜第３のいずれか１つの発明において、前記便器に洗浄水を流す便器洗浄の指示を入力する便器洗浄スイッチをさらに備え、前記制御部は、前記異常があると判断した場合には、前記便器洗浄スイッチへの前記指示の入力に応じて前記殺菌水で前記殺菌する制御を実行することを特徴とする衛生洗浄装置である。
【００１６】
この衛生洗浄装置によれば、制御部は、身体を洗浄する機能を停止する異常があると判断した場合には、使用者が便器洗浄を指示するとノズルおよび便器の少なくともいずれかを殺菌する。つまり、制御部は、身体を洗浄する機能を停止する異常があると判断した場合には、使用者が便器洗浄を指示した場合にだけノズルおよび便器の少なくともいずれかを殺菌することができる。
【００１７】
使用者が便器洗浄を指示すると、便器のボウルの表面に付着していた殺菌水は、便器を洗浄する洗浄水と共に流される。そのため、制御部は、使用者が便器洗浄を指示した後に便器を殺菌することにより、殺菌水をボウルの表面に付着させた状態で保持することができる。これにより、異常が発生している衛生洗浄装置の負担を軽減しつつ、ノズルおよび便器において菌が繁殖することをより抑制することができる。また、異常が発生している衛生洗浄装置の負担を軽減しつつ、身体を洗浄する機能を停止する異常がある状態が、その異常がない状態に変化した後、ノズルおよび便器をより清潔な状態に保つことができる。
【００１８】
また、第６の発明は、第１または第２の発明において、前記制御部は、前記異常があると判断した後に前記異常があると判断しない状態に変化すると前記殺菌水で前記殺菌する制御を実行することを特徴とする衛生洗浄装置である。
【００１９】
この衛生洗浄装置によれば、制御部は、身体を洗浄する機能を停止する異常があると判断した後にその異常があると判断しない状態に変化すると、ノズルおよび便器の少なくともいずれかを殺菌する。そのため、衛生洗浄装置および便器を次に使用する人のためにノズルおよび便器をそれぞれ清潔にしておくことができる。
【発明の効果】
【００２０】
本発明の態様によれば、異常により機能が停止した場合でも、菌が繁殖することを抑制することができる衛生洗浄装置が提供される。
【図面の簡単な説明】
【００２１】
【図１】本発明の実施の形態にかかる衛生洗浄装置を備えたトイレ装置を表す斜視模式図である。
【図２】本実施形態にかかる衛生洗浄装置の要部構成を表すブロック図である。
【図３】本実施形態の殺菌モード判定を説明するためのフローチャートである。
【図４】本実施形態の正常モードを説明するためのフローチャートである。
【図５】正常モードにおけるノズルの殺菌動作を説明するためのタイミングチャートである。
【図６】正常モードにおける便器の殺菌動作を説明するためのタイミングチャートである。
【図７】本実施形態の異常モードを説明するためのフローチャートである。
【図８】異常モードにおけるノズルおよび便器の殺菌動作を説明するためのタイミングチャートである。
【図９】本実施形態にかかる衛生洗浄装置の殺菌動作の具体例を例示するタイミングチャートである。
【図１０】本実施形態にかかる衛生洗浄装置の殺菌動作の他の具体例を例示するタイミングチャートである。
【図１１】本実施形態にかかる衛生洗浄装置の殺菌動作のさらに他の具体例を例示するタイミングチャートである。
【図１２】本実施形態にかかる衛生洗浄装置の殺菌動作のさらに他の具体例を例示するタイミングチャートである。
【図１３】本実施形態にかかる衛生洗浄装置の殺菌動作のさらに他の具体例を例示するタイミングチャートである。
【図１４】本実施形態にかかる衛生洗浄装置の殺菌動作のさらに他の具体例を例示するタイミングチャートである。
【図１５】温水温度異常により身体洗浄機能停止となる場合の異常モードを説明するためのフローチャートである。
【図１６】温水温度異常により身体洗浄機能停止となる場合の殺菌動作の具体例を例示するタイミングチャートである。
【図１７】本実施形態にかかる衛生洗浄装置の殺菌動作のさらに他の具体例を例示するタイミングチャートである。
【図１８】本実施形態にかかる衛生洗浄装置の殺菌動作のさらに他の具体例を例示するタイミングチャートである。
【図１９】本実施形態にかかる衛生洗浄装置の殺菌動作のさらに他の具体例を例示するタイミングチャートである。
【図２０】本実施形態にかかる衛生洗浄装置の動作と流路の状態との概念を表す概念模式図である。
【図２１】本実施形態にかかる衛生洗浄装置の動作と流路の状態との他の概念を表す概念模式図である。
【図２２】本実施形態にかかる衛生洗浄装置の動作の具体例を例示するタイミングチャートである。
【図２３】本実施形態の電解槽ユニットの具体例を例示する断面模式図である。
【図２４】本実施形態のノズルユニットの具体例を例示する斜視模式図である。
【図２５】本実施形態の殺菌水吐水口の具体例を例示する断面模式図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。  
また、図２は、本実施形態にかかる衛生洗浄装置の要部構成を表すブロック図である。  なお、図２は、水路系と電気系の要部構成を併せて表している。
【００２３】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２４】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ（人体検知手段）４０４が設けられている。着座検知センサ４０４が便座２００に座った使用者を検知している場合において、使用者が例えばリモコンなどの操作部５００を操作すると、洗浄ノズル（以下説明の便宜上、単に「ノズル」と称する）４７３を便器８００のボウル８０１内に進出させることができる。なお、図１に表した衛生洗浄装置１００では、ノズル４７３がボウル８０１内に進出した状態を表している。
【００２５】
ノズル４７３の先端部には、ひとつあるいは複数の吐水口４７４が設けられている。そして、ノズル４７３は、その先端部に設けられた吐水口４７４から水を噴射して、便座２００に座った使用者の「おしり」などを洗浄することができる。なお、本願明細書において「水」という場合には、冷水のみならず、加熱されたお湯も含むものとする。
【００２６】
より具体的に説明すると、本実施形態にかかる衛生洗浄装置１００は、図２に表したように、水道や貯水タンクなどの給水源１０から供給された水をノズル４７３の吐水口４７４に導く流路２０を有する。流路２０の上流側には、電磁弁４３１が設けられている。電磁弁４３１は、開閉可能な電磁バルブであり、ケーシング４００の内部に設けられた制御部４０５からの指令に基づいて水の供給を制御する。なお、流路２０は、電磁弁４３１から下流側の２次側とする。
【００２７】
電磁弁４３１の下流には、温水ヒータ４４１が設けられている。温水ヒータ４４１は、供給された水を加熱し、所定の温水にする。なお、温水温度については、例えば、使用者が操作部５００を操作することにより設定することができる。  
温水ヒータ４４１の下流には、殺菌水を生成可能な電解槽ユニット（殺菌水生成手段）４５０が設けられている。この電解槽ユニット４５０については、後に詳述する。
【００２８】
電解槽ユニット４５０の下流には、水勢（流量）の調整を行う流量切替弁４７１と、ノズル４７３やノズル洗浄室４７８への給水の開閉や切替を行う流路切替弁４７２と、が設けられている。なお、流量切替弁４７１および流路切替弁４７２は、１つのユニットとして設けられていてもよい。続いて、流量切替弁４７１および流路切替弁４７２の下流には、ノズル４７３が設けられている。
【００２９】
ノズル４７３は、ノズルモータ４７６からの駆動力を受け、便器８００のボウル８０１内に進出したり後退することができる。つまり、ノズルモータ４７６は、制御部４０５からの指令に基づいてノズル４７３を進退させることができる。  
そして、制御部４０５は、電源回路４０１から電力を供給され、トイレ室への使用者の入室を検知する入室検知センサ（人体検知手段）４０２や、便座２００の前方にいる使用者を検知する人体検知センサ（人体検知手段）４０３や、便座２００への使用者の着座を検知する着座検知センサ４０４や、操作部５００などからの信号に基づいて、電磁弁４３１や、温水ヒータ４４１や、電解槽ユニット４５０や、流量切替弁４７１や流路切替弁４７２や、ノズルモータ４７６の動作を制御することができる。
【００３０】
着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。
【００３１】
また、人体検知センサ４０３は、便器８００の前方にいる使用者、すなわち便座２００から前方へ離間した位置に存在する使用者を検知することができる。つまり、人体検知センサ４０３は、トイレ室に入室して便座２００に近づいてきた使用者を検知することができる。このような人体検知センサ４０３としては、例えば、赤外線投受光式の測距センサなどを用いることができる。
【００３２】
また、入室検知センサ４０２は、トイレ室のドアを開けて入室した直後の使用者や、トイレ室に入室しようとしてドアの前に存在する使用者を検知することができる。つまり、入室検知センサ４０２は、トイレ室に入室した使用者だけではなく、トイレ室に入室する前の使用者、すなわちトイレ室の外側のドアの前に存在する使用者を検知することができる。このような入室検知センサ４０２としては、焦電センサや、ドップラーセンサなどのマイクロ波センサなどを用いることができる。マイクロ波のドップラー効果を利用したセンサや、マイクロ波を送信し反射したマイクロ波の振幅（強度）に基づいて被検知体を検出するセンサなどを用いた場合、トイレ室のドア越しに使用者の存在を検知することが可能となる。つまり、トイレ室に入室する前の使用者を検知することができる。
【００３３】
図１に表したトイレ装置では、ケーシング４００の上面に凹設部４０９が形成され、この凹設部４０９に一部が埋め込まれるように入室検知センサ４０２が設けられている。入室検知センサ４０２は、便蓋３００が閉じた状態では、その基部付近に設けられた透過窓３１０を介して使用者の入室を検知する。そして、例えば、入室検知センサ４０２が使用者を検知すると、制御部４０５は、入室検知センサ４０２の検知結果に基づいて便蓋３００を自動的に開くことができる。また、着座検知センサ４０４および人体検知センサ４０３は、ケーシング４００の前方の中央部に設けられている。但し、着座検知センサ４０４、人体検知センサ４０３、および入室検知センサ４０２の設置形態は、これだけに限定されるわけではなく、適宜変更することができる。また、着座検知センサ４０４、人体検知センサ４０３、および入室検知センサ４０２の全てが必ずしも必要というわけでなく、例えば、着座検知センサ４０４のみが設けられていてもよい。
【００３４】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００３５】
次に、本実施形態にかかる衛生洗浄装置の動作について図面を参照しつつ説明する。  
図３は、本実施形態の殺菌モード判定を説明するためのフローチャートである。  
まず、制御部４０５は、便座２００に座った使用者の身体を洗浄する機能（身体洗浄機能）を停止する異常があったか否かを判断する（ステップＳ１０１）。
【００３６】
ここで、身体洗浄機能を停止する異常について説明する。  
例えば、温水ヒータ４４１により加熱された水の温度を検知する温水サーミスタが断線すると、制御部４０５は、温水ヒータ４４１により加熱された水の温度を判断できないため、ノズル４７３から噴射する水の温度を制御できなくなる。そうすると、制御部４０５は、身体洗浄機能を停止する異常があったと判断し（ステップＳ１０１：ＹＥＳ）、温水ヒータ４４１や電磁弁４３１などの動作を禁止して身体洗浄機能を停止する。制御部４０５は、身体洗浄機能を停止する異常があったと判断すると（ステップＳ１０１：ＹＥＳ）、異常モードを実行する（ステップＳ１０５）。異常モードについては、後に詳述する。
【００３７】
身体洗浄機能を停止する異常があったと制御部４０５が判断するのは、温水サーミスタが断線した場合に限定されるわけではない。例えば、温水ヒータ４４１により加熱された水の温度が安全であることを確認するリミッタサーミスタや、温水ヒータ４４１を有する図示しない熱交換ユニットの内部に供給される水の温度を検知する入水サーミスタなどが断線した場合にも、制御部４０５は、身体洗浄機能を停止する異常があったと判断する。
【００３８】
あるいは、例えば、急な給水圧変動により水の温度変動が生じたり、何らかの部品異常により水の温度が高温になったりした場合に、温水サーミスタやリミッタサーミスタがその温度変動や高温を検知した場合にも、制御部４０５は、身体洗浄機能を停止する異常があったと判断する。  
あるいは、例えば、水が凍結したことを検知した場合にも、制御部４０５は、身体洗浄機能を停止する異常があったと判断する。
【００３９】
また、身体洗浄機能を停止する異常があったと制御部４０５が判断するのは、前述したような水の温度に関する異常が発生した場合だけに限定されるわけではない。図１および図２に関して前述したように、着座検知センサ４０４が便座２００に座った使用者を検知している場合において、ノズル４７３は、ボウル８０１内に進出し水を噴射できる。そのため、着座検知センサ４０４が故障すると、ノズル４７３は、ボウル８０１内に進出することができない。この場合にも、制御部４０５は、身体洗浄機能を停止する異常があったと判断する。
【００４０】
あるいは、例えば、便蓋３００を開閉駆動する便蓋駆動装置が設けられている場合には、制御部４０５は、入室検知センサ４０２の検知結果に基づいて便蓋３００を自動的に開くことができる。そのため、便蓋駆動装置や電動開閉基板や入室検知センサ４０２が故障すると、制御部４０５は、便蓋３００を自動的に開くことができない。この場合にも、制御部４０５は、身体洗浄機能を停止する異常があったと判断する。
【００４１】
一方、制御部４０５は、身体洗浄機能を停止する異常があったと判断しないと（ステップＳ１０１：ＮＯ）、身体洗浄機能を停止することなく正常モードを実行する（ステップＳ１０３）。
【００４２】
図４は、本実施形態の正常モードを説明するためのフローチャートである。  
まず、制御部４０５は、使用者による衛生洗浄装置１００の使用が終了したか否かを判断する（ステップＳ２０１）。制御部４０５は、使用者による衛生洗浄装置１００の使用が終了してしないと判断した場合には（ステップＳ２０１：ＮＯ）、引き続きステップＳ２０１の判断を実行する（ステップＳ２０１）。
【００４３】
一方、制御部４０５は、使用者による衛生洗浄装置１００の使用が終了したと判断した場合には（ステップＳ２０１：ＹＥＳ）、殺菌開始待ち時間Ｔａが経過したか否かを判断する（ステップＳ２０３）。制御部４０５は、殺菌開始待ち時間Ｔａが経過していないと判断した場合には（ステップＳ２０３：ＮＯ）、引き続きステップＳ２０３の判断を実行する（ステップＳ２０３）。
【００４４】
一方、制御部４０５は、殺菌開始待ち時間Ｔａが経過したと判断した場合には（ステップＳ２０３：ＹＥＳ）、ノズル４７３や便器８００の殺菌を開始する（ステップＳ２０５）。  
ここで、正常モードにおけるノズル４７３および便器８００の殺菌動作について、タイミングチャートを参照しつつ説明する。
【００４５】
図５は、正常モードにおけるノズルの殺菌動作を説明するためのタイミングチャートである。  
使用者が身体洗浄を開始し（タイミングｔ１１）、その身体洗浄を終了すると（タイミングｔ１２）、制御部４０５は、電解槽ユニット４５０の通電を開始し、殺菌水の生成を開始する（タイミングｔ１２）。そして、制御部４０５は、電磁弁４３１、流量切替弁４７１、および流路切替弁４７２を制御し殺菌水を通水することによりノズル４７３を殺菌する（タイミングｔ１２〜ｔ１４）。より具体的には、制御部４０５は、殺菌水を流路２０に殺菌水を通水し、吐水口４７４およびノズル洗浄室４７８の吐水部４７９（図２および図２４参照）から殺菌水を噴射することにより、流路２０の内部や、吐水口４７４の部分や、ノズル４７３の外周表面（胴体）を殺菌することができる。
【００４６】
続いて、着座検知センサ４０４や入室検知センサ４０２や人体検知センサ４０３など（以下、説明の便宜上「人体検知手段」と称する）が人体を検知しなくなって（タイミングｔ１３）から殺菌開始待ち時間Ｔａが経過すると、制御部４０５は、電磁弁４３１、流量切替弁４７１、および流路切替弁４７２を制御し殺菌水を通水することによりノズル４７３を再び殺菌する（タイミングｔ１５〜ｔ１６）。つまり、図５に表したタイミングチャートでは、人体検知手段が人体を検知しなくなったときに、制御部４０５は、使用者による衛生洗浄装置１００の使用が終了したと判断する。
【００４７】
さらに、ノズル４７３の殺菌が終了して（タイミングｔ１６）から殺菌開始待ち時間Ｔａが経過すると、制御部４０５は、電磁弁４３１、流量切替弁４７１、および流路切替弁４７２を制御し殺菌水を通水することによりノズル４７３を再び殺菌する（タイミングｔ１７〜ｔ１８）。つまり、正常モードにおいては、制御部４０５は、身体洗浄を終了した後にノズル４７３の殺菌を定期的に実行する。
【００４８】
図６は、正常モードにおける便器の殺菌動作を説明するためのタイミングチャートである。  
人体検知手段が人体を検知しなくなって（タイミングｔ２１）から殺菌開始待ち時間Ｔａが経過すると、制御部４０５は、電磁弁４３１、流量切替弁４７１、および流路切替弁４７２を制御し殺菌水を通水することにより便器８００を殺菌する（タイミングｔ２２〜ｔ２３）。より具体的には、制御部４０５は、殺菌水を流路２０に殺菌水を通水し、殺菌水吐水口４１１（図２５参照）から便器８００のボウル８０１へ向かって殺菌水を噴射することにより、便器８００のボウル８０１の表面を殺菌することできる。
【００４９】
続いて、便器８００の殺菌が終了して（タイミングｔ２３）から殺菌開始待ち時間Ｔａが経過すると、制御部４０５は、電磁弁４３１、流量切替弁４７１、および流路切替弁４７２を制御し殺菌水を通水することにより便器８００を再び殺菌する（タイミングｔ２４〜ｔ２５）。つまり、正常モードにおいては、制御部４０５は、ノズル４７３の殺菌動作と同様に、便器８００の殺菌を定期的に実行する。
【００５０】
図７は、本実施形態の異常モードを説明するためのフローチャートである。  
異常モードにおいては、制御部４０５は、殺菌を開始するまでの待ち時間を正常モードにおける殺菌開始待ち時間Ｔａよりも長い殺菌開始待ち時間Ｔｂに設定する（ステップＳ３０３）。殺菌開始待ち時間Ｔｂは、例えば正常モードにおける殺菌開始待ち時間Ｔａの約２倍程度の時間である。
【００５１】
ステップＳ３０１、Ｓ３０５の動作は、図４に関して前述したステップＳ２０１、Ｓ２０５の動作とそれぞれ同様である。つまり、制御部４０５は、殺菌開始待ち時間Ｔｂが経過したと判断した場合には（ステップＳ３０３：ＹＥＳ）、ノズル４７３や便器８００の殺菌を開始する（ステップＳ３０５）。  
ここで、異常モードにおけるノズル４７３および便器８００の殺菌動作について、タイミングチャートを参照しつつ説明する。
【００５２】
図８は、異常モードにおけるノズルおよび便器の殺菌動作を説明するためのタイミングチャートである。  
正常モードにおける殺菌動作（タイミングｔ３１〜ｔ３５）については、図５および図６に関して前述したノズル４７３および便器８００の殺菌動作と同様である。
【００５３】
続いて、使用者が身体洗浄を開始した後に、身体洗浄機能を停止する異常があったと制御部４０５が判断したとする（タイミングｔ３６）。そうすると、制御部４０５は、身体洗浄機能を停止する。また、制御部４０５は、図３に関して前述したように、殺菌動作のモードを正常モードから異常モードへ遷移させ、異常モードを実行する。
【００５４】
そして、人体検知手段が人体を検知しなくなって（タイミングｔ３７）から殺菌開始待ち時間Ｔｂが経過すると、制御部４０５は、身体洗浄機能を停止する異常があるにもかかわらず電磁弁４３１、流量切替弁４７１、および流路切替弁４７２を制御し殺菌水を通水することにより、ノズル４７３および便器８００を殺菌する（タイミングｔ３８〜ｔ３９）。続いて、便器８００の殺菌が終了して（タイミングｔ３９）から殺菌開始待ち時間Ｔｂが経過すると、制御部４０５は、電磁弁４３１、流量切替弁４７１、および流路切替弁４７２を制御し殺菌水を通水することによりノズル４７３および便器８００を再び殺菌する（タイミングｔ４０〜ｔ４１）。
【００５５】
本実施形態によれば、制御部４０５は、身体洗浄機能を停止する異常があったと判断した場合でも、ノズル４７３および便器８００の殺菌を実行することができる。そのため、身体洗浄機能が停止した場合でも、流路２０の内部や、ノズル４７３の吐水口４７４の部分や、ノズル４７３の胴体や、便器８００のボウル８０１の表面において菌が繁殖することを抑制することができる。これにより、身体洗浄機能を停止する異常がある状態が、その異常がない状態に変化した後、流路２０の内部や、ノズル４７３の吐水口４７４の部分や、ノズル４７３の胴体や、便器８００のボウル８０１の表面を清潔な状態に保つことができる。
【００５６】
また、前述したように、異常モードにおける殺菌開始待ち時間Ｔｂは、正常モードにおける殺菌開始待ち時間Ｔａよりも長い。そのため、制御部４０５は、身体洗浄機能を停止する異常があったと判断した場合には、正常モードよりも時間間隔を空けてノズル４７３および便器８００の殺菌を定期的に実行することができる。これにより、異常が発生している衛生洗浄装置１００の負担を軽減することができる。
【００５７】
次に、本実施形態にかかる衛生洗浄装置の殺菌動作の具体例について、図面を参照しつつ説明する。  
図９は、本実施形態にかかる衛生洗浄装置の殺菌動作の具体例を例示するタイミングチャートである。
【００５８】
本具体例では、制御部４０５は、便器８００の殺菌動作のようにはノズル４７３の殺菌を定期的には実行しない。これによれば、ノズル４７３の殺菌の回数を減らすことができるため、衛生洗浄装置１００に異常が発生した場合でも、その異常が発生している衛生洗浄装置１００の負担を軽減することができる。
【００５９】
身体洗浄機能を停止する異常があると判断しない場合には、制御部４０５は、正常モードを実行する。本具体例の正常モードでは、人体検知手段が人体を検知しなくなって（タイミングｔ５１）から２４時間が経過すると、制御部４０５は、便器８００を殺菌する（タイミングｔ５２〜ｔ５３）。続いて、便器８００の殺菌が終了してから２４時間が経過すると、制御部４０５は、便器８００を再び殺菌する（タイミングｔ５４〜ｔ５５）。
【００６０】
続いて、制御部４０５は、使用者が身体洗浄を開始した後に、身体洗浄機能を停止する異常があったと判断した場合には、身体洗浄機能を停止する（タイミングｔ５６）。また、制御部４０５は、殺菌動作のモードを正常モードから異常モードへ遷移させ、異常モードを実行する。そして、人体検知手段が人体を検知しなくなって（タイミングｔ５７）から４８時間が経過すると、制御部４０５は、身体洗浄機能を停止する異常があるにもかかわらず便器８００を殺菌する（タイミングｔ５８〜ｔ５９）。続いて、便器８００の殺菌が終了してから４８時間が経過すると、制御部４０５は、便器８００を再び殺菌する（タイミングｔ６０〜ｔ６１）。
【００６１】
本具体例によれば、図８に関して前述したように、異常モードにおける殺菌開始待ち時間（本具体例では４８時間）は、正常モードにおける殺菌開始待ち時間（本具体例では２４時間）よりも長い。そのため、制御部４０５は、身体洗浄機能を停止する異常があったと判断した場合には、正常モードよりも時間間隔を空けて便器８００の殺菌を定期的に実行することができる。これにより、異常が発生している衛生洗浄装置１００の負担を軽減することができる。
【００６２】
図１０は、本実施形態にかかる衛生洗浄装置の殺菌動作の他の具体例を例示するタイミングチャートである。  
本具体例では、制御部４０５は、便器８００の殺菌動作と同様に、ノズル４７３の殺菌を定期的に実行する。つまり、制御部４０５は、本具体例の正常モードにおいては、タイミングｔ７２〜ｔ７３およびタイミングｔ７４〜ｔ７５でノズル４７３および便器８００を殺菌する。また、本具体例の異常モードにおいては、人体検知手段が人体を検知しなくなって（タイミングｔ７７）から４８時間が経過すると、制御部４０５は、身体洗浄機能を停止する異常があるにもかかわらずノズル４７３および便器８００を殺菌する（タイミングｔ７８〜ｔ７９）。続いて、ノズル４７３および便器８００の殺菌が終了してから４８時間が経過すると、制御部４０５は、ノズル４７３および便器８００を再び殺菌する（タイミングｔ８０〜ｔ８１）。
【００６３】
本具体例によれば、ノズル４７３の殺菌の回数を増やすことができるため、ノズル４７３をより清潔な状態に保つことができる。また、その他の効果についても、図９に関して前述した効果と同様の効果が得られる。
【００６４】
なお、本具体例では、ノズル４７３の殺菌を定期的に実行する時間間隔（２４時間、４８時間）と、便器８００の殺菌を定期的に実行する時間間隔（２４時間、４８時間）と、は互いに同じであるが、これだけに限定されるわけではない。ノズル４７３の殺菌を定期的に実行する時間間隔と、便器８００の殺菌を定期的に実行する時間間隔と、は互いに異なっていてもよい。これによれば、制御部４０５は、ノズル４７３および便器８００のそれぞれの使用環境に応じた時間間隔で殺菌を定期的に実行することができる。そのため、ノズル４７３および便器８００において菌が繁殖することをより抑制することができる。これにより、身体洗浄機能を停止する異常がある状態が、その異常がない状態に変化した後、ノズル４７３および便器８００をより清潔な状態に保つことができる。  
また、ノズル４７３および便器８００の殺菌を定期的に実行する時間間隔（２４時間、４８時間）については、適宜変更することができる。
【００６５】
図１１は、本実施形態にかかる衛生洗浄装置の殺菌動作のさらに他の具体例を例示するタイミングチャートである。  
本具体例では、制御部４０５は、図９に関して前述した具体例と同様に、便器８００の殺菌動作のようにはノズル４７３の殺菌を定期的には実行しない。
【００６６】
本具体例の正常モードでは、使用者が身体洗浄を開始し（タイミングｔ９１）、その身体洗浄を終了すると（タイミングｔ９２）、制御部４０５は、電解槽ユニット４５０の通電を開始し、殺菌水の生成を開始する（タイミングｔ９２）。そして、制御部４０５は、ノズル４７３を殺菌する（タイミングｔ９２〜ｔ９４）。
【００６７】
続いて、人体検知手段が人体を検知しなくなって（タイミングｔ９３）から２４時間が経過すると、制御部４０５は、便器８００を殺菌する（タイミングｔ９５〜ｔ９６）。続いて、便器８００の殺菌が終了してから２４時間が経過すると、制御部４０５は、便器８００を再び殺菌する（タイミングｔ９７〜ｔ９８）。
【００６８】
続いて、制御部４０５は、使用者が身体洗浄を再び開始した後に、身体洗浄機能を停止する異常があったと判断した場合には、身体洗浄機能を停止する（タイミングｔ９９）。また、制御部４０５は、殺菌動作のモードを正常モードから異常モードへ遷移させ、異常モードを実行する。そして、人体検知手段が人体を検知しなくなって（タイミングｔ１００）から５分が経過しても、制御部４０５は、便器８００を殺菌しない（タイミングｔ１０１）。
【００６９】
一方、人体検知手段が人体を再び検知し（タイミングｔ１０２）、その後に人体を検知しなくなって（タイミングｔ１０３）から５分が経過すると、制御部４０５は、身体洗浄機能を停止する異常があるにもかかわらず便器８００を殺菌する（タイミングｔ１０４〜ｔ１０５）。つまり、本具体例の異常モードにおいては、制御部４０５は、使用者が衛生洗浄装置１００および便器８００の少なくともいずれかを使用した後にだけ便器８００を殺菌する。タイミングｔ１０６〜ｔ１０９の動作は、タイミングｔ１０２〜ｔ１０５に関して前述した動作と同様である。
【００７０】
本具体例によれば、異常モードにおいては、制御部４０５は、使用者が衛生洗浄装置１００および便器８００の少なくともいずれかを使用した後にだけ便器８００を殺菌する。そのため、正常モードの場合よりもノズル４７３の殺菌の回数を減らすことができる。これにより、異常が発生している衛生洗浄装置１００の負担を軽減することができる。
【００７１】
図１２は、本実施形態にかかる衛生洗浄装置の殺菌動作のさらに他の具体例を例示するタイミングチャートである。  
本具体例では、制御部４０５は、便器８００の殺菌動作と同様に、ノズル４７３の殺菌を定期的に実行する。つまり、制御部４０５は、本具体例の正常モードにおいては、タイミングｔ１１５〜ｔ１１６およびタイミングｔ１１７〜ｔ１１８でノズル４７３および便器８００を殺菌する。また、本具体例の異常モードにおいては、人体検知手段が人体を再び検知し（タイミングｔ１２２）、その後に人体を検知しなくなって（タイミングｔ１２３）から５分が経過すると、制御部４０５は、身体洗浄機能を停止する異常があるにもかかわらずノズル４７３および便器８００を殺菌する（タイミングｔ１２４〜ｔ１２５）。タイミングｔ１２６〜ｔ１２９の動作は、タイミングｔ１２２〜ｔ１２５に関して前述した動作と同様である。その他の動作については、図１１に関して前述した動作と同様である。
【００７２】
本具体例によれば、図１０に関して前述したように、ノズル４７３の殺菌の回数を増やすことができるため、ノズル４７３をより清潔な状態に保つことができる。また、その他の効果についても、図１１に関して前述した効果と同様の効果が得られる。
【００７３】
なお、図１１および図１２に表した具体例において、人体検知手段が人体を検知しなくなってから便器８００およびノズル４７３を殺菌するまでの時間間隔（５分間）については、適宜変更することができる。また、正常モードにおいてノズル４７３および便器８００の殺菌を定期的に実行する時間間隔（２４時間）については、適宜変更することができる。
【００７４】
図１３は、本実施形態にかかる衛生洗浄装置の殺菌動作のさらに他の具体例を例示するタイミングチャートである。  
本具体例のタイミングｔ１３１〜ｔ１３９の動作は、図１１に関して前述したタイミングｔ９１〜ｔ９９の動作と同様である。
【００７５】
続いて、使用者が便器８００に洗浄水を流す便器洗浄を指示し（タイミングｔ１４０）、その便器洗浄が終了して（タイミングｔ１４１）から所定時間Ｔ１が経過すると、制御部４０５は、身体洗浄機能を停止する異常があるにもかかわらず便器８００を殺菌する（タイミングｔ１４２〜ｔ１４３）。便器洗浄の終了については、例えば、便器洗浄開始の指示からの洗浄時間を予め設定しておくことで、便器洗浄の終了時のタイミングを設定することができる。つまり、本具体例の異常モードにおいては、制御部４０５は、使用者が便器洗浄を指示すると便器８００を殺菌する。制御部４０５は、例えば操作部５００（図２参照）に設けられた図示しない便器洗浄スイッチへの使用者による指示の入力に応じて便器洗浄の開始および終了を判断することができる。
【００７６】
続いて、人体検知手段が人体を再び検知し（タイミングｔ１４４）、その後に人体を検知しなくなって（タイミングｔ１４５）も、使用者は、便器洗浄を指示していない。そのため、制御部４０５は、この場合には便器８００を殺菌しない。続いて、人体検知手段が人体を再び検知し（タイミングｔ１４６）、使用者が便器洗浄を指示する（タイミングｔ１４７）。その後、人体検知手段が人体を検知しなくなり、便器洗浄が終了して（タイミングｔ１４８）から所定時間Ｔ１が経過すると、制御部４０５は、便器８００を再び殺菌する（タイミングｔ１４９〜ｔ１５０）。
【００７７】
本具体例によれば、異常モードにおいては、制御部４０５は、使用者が便器洗浄を指示すると便器８００を殺菌する。使用者が便器洗浄を指示すると、ボウル８０１の表面に付着していた殺菌水は、便器８００を洗浄する洗浄水と共に流される。そのため、制御部４０５は、使用者が便器洗浄を指示した後に便器８００を殺菌することにより、殺菌水をボウル８０１の表面に付着させた状態で保持することができる。これにより、異常が発生している衛生洗浄装置１００の負担を軽減しつつ、便器８００において菌が繁殖することをより抑制することができる。また、異常が発生している衛生洗浄装置１００の負担を軽減しつつ、身体洗浄機能を停止する異常がある状態が、その異常がない状態に変化した後、便器８００をより清潔な状態に保つことができる。
【００７８】
図１４は、本実施形態にかかる衛生洗浄装置の殺菌動作のさらに他の具体例を例示するタイミングチャートである。  
本具体例では、制御部４０５は、便器８００の殺菌動作と同様に、ノズル４７３の殺菌を定期的に実行する。つまり、制御部４０５は、本具体例の正常モードにおいては、タイミングｔ１５５〜ｔ１５６およびタイミングｔ１５７〜ｔ１５８でノズル４７３および便器８００を殺菌する。また、本具体例の異常モードにおいては、使用者が便器洗浄を指示し（タイミングｔ１６０）、その便器洗浄が終了して（タイミングｔ１６１）から所定時間Ｔ１が経過すると、制御部４０５は、身体洗浄機能を停止する異常があるにもかかわらずノズル４７３および便器８００を殺菌する（タイミングｔ１６２〜ｔ１６３）。タイミングｔ１６７〜ｔ１７０の動作は、タイミングｔ１６０〜ｔ１６３に関して前述した動作と同様である。その他の動作については、図１３に関して前述した動作と同様である。
【００７９】
本具体例によれば、図１０に関して前述したように、ノズル４７３の殺菌の回数を増やすことができるため、ノズル４７３をより清潔な状態に保つことができる。また、その他の効果についても、図１３に関して前述した効果と同様の効果が得られる。
【００８０】
次に、水の温度に関する異常が発生した場合に、身体洗浄機能を停止する異常があったと制御部４０５が判断する場合を例に挙げて説明する。  
図１５は、温水温度異常により身体洗浄機能停止となる場合の異常モードを説明するためのフローチャートである。
【００８１】
まず、制御部４０５は、例えば温水サーミスタなどの検知温度に基づいて温水ヒータ４４１により加熱された水の温度が殺菌動作として正常か否かを判断する（ステップＳ４０１）。制御部４０５は、温水ヒータ４４１により加熱された水の温度が殺菌動作として正常ではないと判断した場合には（ステップＳ４０１：ＮＯ）、引き続きステップＳ４０１の判断を実行する（ステップＳ４０１）。
【００８２】
一方、制御部４０５は、温水ヒータ４４１により加熱された水の温度が殺菌動作として正常であると判断した場合には（ステップＳ４０１：ＹＥＳ）、ノズル４７３や便器８００の殺菌を開始する（ステップＳ４０３）。
【００８３】
図１６は、温水温度異常により身体洗浄機能停止となる場合の殺菌動作の具体例を例示するタイミングチャートである。  
本具体例では、制御部４０５は、温水ヒータ４４１により加熱された水の温度が殺菌動作として正常ではないと判断した場合に、身体洗浄および殺菌の機能を停止する。
【００８４】
まず、本具体例のタイミングｔ１７１〜ｔ１７９の動作は、図１１に関して前述したタイミングｔ９１〜９９の動作と同様である。但し、タイミングｔ１７９では、制御部４０５は、温水温度異常により身体洗浄機能を停止する異常があったと判断し、身体洗浄および殺菌の機能を停止する（タイミングｔ１７９）。
【００８５】
続いて、使用者が便器洗浄を指示し（タイミングｔ１８０）、その便器洗浄が終了して（タイミングｔ１８１）から所定時間Ｔ２が経過しても、制御部４０５は、便器８００を殺菌しない（タイミングｔ１８２）。これは、タイミングｔ１７９において、温水温度異常により身体洗浄機能を停止する異常があったと判断し、殺菌の機能を停止しているためである。
【００８６】
続いて、人体検知手段が人体を再び検知し（タイミングｔ１８３）、その後に使用者が便器洗浄を指示したとする（タイミングｔ１８４）。この場合には、人体検知手段が人体を検知しなくなり（タイミングｔ１８５）、便器洗浄が終了しても（タイミングｔ１８６）、制御部４０５は、便器８００を殺菌しない。これは、タイミングｔ１８２と同様に、温水温度異常により身体洗浄機能を停止する異常があったと判断し、殺菌の機能を停止しているためである。
【００８７】
続いて、制御部４０５は、温水ヒータ４４１により加熱された水の温度が殺菌動作として正常であると判断した場合には、殺菌の機能の停止を解除する（タイミングｔ１８７）。続いて、タイミングｔ１８８〜ｔ１９０の動作は、タイミングｔ１８３〜ｔ１８６に関して前述した動作と同様である。そうすると、便器洗浄が終了して（タイミングｔ１９０）から所定時間Ｔ２が経過すると、制御部４０５は、身体洗浄機能を停止する異常があるにもかかわらず便器８００を殺菌する（タイミングｔ１９１〜ｔ１９２）。
【００８８】
つまり、本具体例の異常モードにおいては、制御部４０５は、温水ヒータ４４１により加熱された水の温度が殺菌動作として正常ではないと判断した後に、その温度が正常であると判断した場合には、身体洗浄機能を停止しつつ殺菌の機能の停止を解除する。そして、便器洗浄が終了してから所定時間Ｔ２が経過すると、制御部４０５は、身体洗浄機能を停止する異常があるにもかかわらず便器８００を殺菌する。
【００８９】
本具体例では、制御部４０５は、温水温度異常により身体洗浄機能を停止すると判断し、殺菌動作の機能も停止する。つまり、制御部４０５は、身体洗浄機能を停止する水の温度で殺菌動作の機能を停止する。これに対して、殺菌動作では、殺菌水が直接身体にかかることがないので、殺菌動作の機能を停止する水の温度をより高い温度に設定することが可能である。この場合には、身体洗浄機能の停止後に遅滞なく殺菌動作を行うことができ、効果的な殺菌を行うことができる。温水温度異常の場合には、通常、温水ヒータ４４１は停止する。そのため、この場合には、温水温度に影響なく殺菌動作を行うことができる。
【００９０】
本具体例によれば、異常モードにおいては、制御部４０５は、使用者が便器洗浄を指示すると、より適した温度の殺菌水で便器８００を殺菌する。使用者が便器洗浄を指示すると、ボウル８０１の表面に付着していた殺菌水は、便器８００洗浄する洗浄水と共に流される。そのため、制御部４０５は、使用者が便器洗浄を指示した後に、より適した温度の殺菌水で便器８００を殺菌することにより、殺菌水をボウル８０１の表面に付着させた状態でより確実に保持することができる。また、制御部４０５は、より適した温度の殺菌水で便器８００を殺菌するため、使用者が衛生洗浄装置１００や便器８００の近傍にいた場合でも、安全性をより確保しつつ便器８００を殺菌することができる。また、その他の効果についても、図１３に関して前述した効果と同様の効果が得られる。
【００９１】
図１７は、本実施形態にかかる衛生洗浄装置の殺菌動作のさらに他の具体例を例示するタイミングチャートである。  
本具体例では、制御部４０５は、便器８００の殺菌動作と同様に、ノズル４７３の殺菌を定期的に実行する。つまり、制御部４０５は、本具体例の正常モードにおいては、タイミングｔ２０５〜ｔ２０６およびタイミングｔ２０７〜ｔ２０８でノズル４７３および便器８００を殺菌する。また、本具体例の異常モードにおいては、便器洗浄が終了して（タイミングｔ２２０）から所定時間Ｔ２が経過すると、制御部４０５は、身体洗浄機能を停止する異常があるにもかかわらずノズル４７３および便器８００を殺菌する（タイミングｔ２２１〜ｔ２２２）。その他の動作については、図１６に関して前述した動作と同様である。
【００９２】
本具体例によれば、図１０に関して前述したように、ノズル４７３の殺菌の回数を増やすことができるため、ノズル４７３をより清潔な状態に保つことができる。また、その他の効果についても、図１６に関して前述した効果と同様の効果が得られる。
【００９３】
なお、図１６および図１７に関して前述した具体例は、温水ヒータ４４１により加熱された水の温度が殺菌動作として正常ではないと制御部４０５が判断した場合に殺菌の機能を停止する動作を図１３および図１４に関して前述した具体例にそれぞれ適用した具体例である。但し、これだけに限定されるわけではなく、温水ヒータ４４１により加熱された水の温度に基づいて殺菌の機能が停止され解除される動作は、図９〜図１２に関して前述した具体例に適用されてもよい。この場合でも、図１６および図１７に関して前述したそれぞれの効果と同様の効果が得られる。
【００９４】
図１８は、本実施形態にかかる衛生洗浄装置の殺菌動作のさらに他の具体例を例示するタイミングチャートである。  
本具体例のタイミングｔ２３１〜ｔ２３９の動作は、図１１に関して前述したタイミングｔ９１〜９９の動作と同様である。また、本具体例のタイミングｔ２４０〜ｔ２４２の動作は、図９に関して前述したタイミングｔ５７〜ｔ５９の動作と同様である。
【００９５】
続いて、制御部４０５は、身体洗浄機能を停止する異常があると判断した後に、その異常があると判断しない状態に変化すると（タイミングｔ２４４）、身体洗浄機能の停止を解除しノズル４７３および便器８００を殺菌する（タイミングｔ２４４〜ｔ２５５）。つまり、制御部４０５は、身体洗浄機能を停止する異常から復帰したと判断した時点で、復帰モードとしてノズル４７３および便器８００を殺菌する（タイミングｔ２４４〜ｔ２５５）。
【００９６】
また、身体洗浄機能の停止は解除されているため、人体検知手段が人体を検知した後に（タイミングｔ２４６）、使用者は、身体洗浄を行うことができる（タイミングｔ２４７〜ｔ２４８）。さらに、身体洗浄が終了すると（タイミングｔ２４８）、制御部４０５は、正常モードとしてノズル４７３を殺菌する（タイミングｔ２４８〜ｔ２４９）。
【００９７】
本具体例によれば、制御部４０５は、身体洗浄機能を停止する異常があると判断した後に、その異常があると判断しない状態に変化するとノズル４７３および便器８００を殺菌するため、衛生洗浄装置１００および便器８００を次に使用する人のためにノズル４７３および便器８００をそれぞれ清潔にしておくことができる。
【００９８】
また、図１８に表した具体例のように、衛生洗浄装置１００の電源を一旦切り（タイミングｔ２４３）、その後に衛生洗浄装置１００の電源を再び入れる（タイミングｔ２４４）ことにより、身体洗浄機能を停止する異常があると判断した後に、その異常があると判断しない状態に変化する場合がある。この場合には、制御部４０５は、身体洗浄機能を停止する異常があったことを記憶しておくことがより好ましい。そうすると、制御部４０５は、衛生洗浄装置１００の電源が再び入れられたときに過去の異常から復帰したか否かを判断し、復帰していた場合にノズル４７３および便器８００を殺菌することができる。この場合にも、衛生洗浄装置１００および便器８００を次に使用する人のためにノズル４７３および便器８００をそれぞれ清潔にしておくことができる。
【００９９】
図１９は、本実施形態にかかる衛生洗浄装置の殺菌動作のさらに他の具体例を例示するタイミングチャートである。  
本具体例では、制御部４０５は、便器８００の殺菌動作と同様に、ノズル４７３の殺菌を定期的に実行する。つまり、制御部４０５は、本具体例の正常モードにおいては、タイミングｔ２５５〜ｔ２５６およびタイミングｔ２５７〜ｔ２５８でノズル４７３および便器８００を殺菌する。また、本具体例の異常モードにおいては、人体検知手段が人体を検知しなくなって（タイミングｔ２６０）から４８時間が経過すると、制御部４０５は、身体洗浄機能を停止する異常があるにもかかわらずノズル４７３および便器８００を殺菌する（タイミングｔ２６１〜ｔ２６２）。その他の動作については、図１８に関して前述した動作と同様である。
【０１００】
本具体例によれば、図１０に関して前述したように、ノズル４７３の殺菌の回数を増やすことができるため、ノズル４７３をより清潔な状態に保つことができる。また、その他の効果についても、図１８に関して前述した効果と同様の効果が得られる。
【０１０１】
図２０は、本実施形態にかかる衛生洗浄装置の動作と流路の状態との概念を表す概念模式図である。  
なお、図２０に表した流路の状態は、電解槽ユニット４５０よりも下流側の流路２０の内部の状態を表している。  
また、ここでは、ノズル４７３が複数の吐水口４７４を有する場合を例に挙げて説明する。
【０１０２】
まず、着座検知センサ４０４が便座２００に着座した使用者を検知すると（タイミングｔ３０１）、制御部４０５は、電磁弁４３１を開き「捨て水」を実行する（タイミングｔ３０１〜ｔ３０２）。これにより、流路２０内の冷水が排水され、温水の準備が行われる。このとき、制御部４０５は、電解槽ユニット４５０には通電せず殺菌水を生成しない。また、「捨て水」の実行時間は、例えば約６〜１５秒程度である。
【０１０３】
続いて、使用者が操作部５００に設けられた図示しない「おしり洗浄スイッチ」を押すと（タイミングｔ３０２）、制御部４０５は、前洗浄を実行する（タイミングｔ３０２〜ｔ３０３）。より具体的には、制御部４０５は、流量切替弁４７１および流路切替弁４７２を制御することにより、複数の全ての吐水口４７４から水を吐水し、それらの吐水口４７４を洗浄する。このときにも、制御部４０５は、電解槽ユニット４５０には通電せず殺菌水を生成しない。そのため、複数の吐水口４７４は、吐水口４７４自身が吐水した水（ノズル洗浄室の内壁で反射した水を含む）により物理的に洗浄される。なお、前洗浄の実行時間は、例えば約２〜１０秒程度である。
【０１０４】
続いて、制御部４０５は、流量切替弁４７１および流路切替弁４７２を制御することによりノズル洗浄室４７８に設けられた吐水部４７９から水を噴射しつつ、ノズル４７３をボウル８０１内に進出させる。そのため、ノズル４７３の胴体は、ノズル洗浄室４７８の吐水部４７９から噴射された水により洗浄される（タイミングｔ３０３〜ｔ３０４）。このときにも、制御部４０５は、電解槽ユニット４５０には通電せず殺菌水を生成しない。そのため、ノズル４７３の胴体は、ノズル洗浄室４７８の吐水部４７９から噴射された水により物理的に洗浄される。なお、このときの胴体洗浄の実行時間は、例えば約１．２〜２．５秒程度である。
【０１０５】
続いて、制御部４０５は、流量切替弁４７１および流路切替弁４７２を制御することにより「おしり洗浄」用の吐水口４７４から水を噴射し、便座２００に着座した使用者の「おしり」を洗浄する（タイミングｔ３０４〜ｔ３０５）。このとき、制御部４０５は、電解槽ユニット４５０には通電せず殺菌水を生成しない。そのため、殺菌水が使用者の身体に噴射されることはない。
【０１０６】
続いて、使用者が操作部５００により図示しない「止スイッチ」を押すと（タイミングｔ３０５）、制御部４０５は、圧抜きを行う（タイミングｔ３０５〜ｔ３０６）。そして、制御部４０５は、流量切替弁４７１および流路切替弁４７２を制御することによりノズル洗浄室４７８に設けられた吐水部４７９から水を噴射しつつ、ノズル４７３をケーシング４００内に収納する（タイミングｔ３０６〜ｔ３０７）。タイミングｔ３０５〜ｔ３０７における胴体洗浄の動作は、タイミングｔ３０３〜ｔ３０４における胴体洗浄の動作と同様である。
【０１０７】
続いて、ノズル４７３がケーシング４００に収納された状態において、制御部４０５は、流量切替弁４７１および流路切替弁４７２を制御することにより、複数の全ての吐水口４７４から水を吐水し、それらの吐水口４７４の後洗浄を実行する（タイミングｔ３０７〜ｔ３０８）。後洗浄の動作は、タイミングｔ３０２〜ｔ３０３における前洗浄の動作と同様であり、複数の吐水口４７４は、吐水口４７４自身が吐水した水（ノズル洗浄室の内壁で反射した水を含む）により物理的に洗浄される。
【０１０８】
続いて、使用者が便座２００を離座して（タイミングｔ３０８）から例えば２５秒が経過すると（タイミングｔ３０９）、制御部４０５は、電解槽ユニット４５０に通電し、殺菌水を生成する。そして、制御部４０５は、流量切替弁４７１および流路切替弁４７２を制御することにより、複数の全ての吐水口４７４から殺菌水を吐水し、それらの吐水口４７４の前殺菌を実行する（タイミングｔ３０９〜ｔ３１０）。このとき、吐水口４７４からは殺菌水が吐水されるため、複数の吐水口４７４は、吐水口４７４自身が吐水した殺菌水（ノズル洗浄室の内壁で反射した殺菌水を含む）により殺菌される。なお、前殺菌の実行時間は、例えば約３秒程度である。
【０１０９】
続いて、制御部４０５は、流量切替弁４７１および流路切替弁４７２を制御することによりノズル洗浄室４７８に設けられた吐水部４７９から殺菌水を噴射しつつ、ノズル４７３をボウル８０１内に進出させた後にケーシング４００内に収納する（タイミングｔ３１０〜ｔ３１１）。そのため、ノズル４７３の胴体は、ノズル洗浄室４７８の吐水部４７９から噴射された殺菌水により洗浄される。なお、このときの胴体洗浄の実行時間は、例えば約５秒程度である。
【０１１０】
続いて、制御部４０５は、流量切替弁４７１および流路切替弁４７２を制御することにより、複数の全ての吐水口４７４から殺菌水を吐水し、それらの吐水口４７４の後殺菌を実行する（タイミングｔ３１１〜ｔ３１２）。後殺菌の動作は、タイミングｔ３０９〜ｔ３１０における前殺菌の動作と同様であり、複数の吐水口４７４は、吐水口４７４自身が吐水した殺菌水（ノズル洗浄室の内壁で反射した水を含む）により殺菌される。
【０１１１】
続いて、制御部４０５は、しばらく放置された後、流路２０内の水抜きを例えば約３０秒程度で行う（タイミングｔ３１３〜ｔ３１４）。そして、身体洗浄の不使用時間として例えば８時間が経過すると、制御部４０５は、ノズル４７３の定期殺菌を実行する。より具体的には、タイミングｔ３０９〜ｔ３１０における前殺菌、およびタイミングｔ３１１〜ｔ３１２における後殺菌と同様に、制御部４０５は、流量切替弁４７１および流路切替弁４７２を制御することにより、複数の全ての吐水口４７４から殺菌水を吐水し、それらの吐水口４７４の前殺菌および後殺菌を実行する（タイミングｔ３１５〜ｔ３１６、ｔ３１６〜ｔ３１７）。これにより、流路２０の内部や、ノズル４７３の吐水口４７４の部分や、ノズル４７３の胴体を清潔な状態に保つことができる。続いて、制御部４０５は、流路２０内の水抜きを例えば約３０秒程度で行う（タイミングｔ３１７〜ｔ３１８）。
【０１１２】
図２１は、本実施形態にかかる衛生洗浄装置の動作と流路の状態との他の概念を表す概念模式図である。  
なお、図２１に表した流路の状態は、図２０に表した概念模式図と同様に、電解槽ユニット４５０よりも下流側の流路２０の内部の状態を表している。  
図２０に関して前述した実施形態では、使用者が便座２００に着座した後に一連の動作として身体洗浄を実行する場合を例に挙げて説明した。これに対して、図２１に表した実施形態では、使用者が便座２００に着座した後に一連の動作としては身体洗浄を実行しない場合を例に挙げて説明する。
【０１１３】
タイミングｔ３３１〜ｔ３３２における「捨て水」の動作は、図２０に関して前述したタイミングｔ３０１〜ｔ３０２における「捨て水」の動作と同様である。  
続いて、使用者は便座２００に着座した後に一連の動作としては身体洗浄を実行しないため、制御部４０５は、電磁弁４３１を閉じたまま待機している（タイミングｔ３３２〜ｔ３３３）。
【０１１４】
続いて、使用者が便座２００を離座して（タイミングｔ３３３）から例えば５秒が経過すると（タイミングｔ３３４）、制御部４０５は、流路２０内の水抜きを例えば約３０秒程度で行う（タイミングｔ３３４〜ｔ３３５）。そして、身体洗浄の不使用時間として例えば８時間が経過すると（タイミングｔ３３６）、制御部４０５は、ノズル４７３の定期殺菌を実行する（タイミングｔ３３６〜ｔ３３８）。タイミングｔ３３６〜ｔ３３８における「定期殺菌」の動作は、図２０に関して前述したタイミングｔ３１５〜ｔ３１７における「定期殺菌」の動作と同様である。続いて、制御部４０５は、流路２０内の水抜きを例えば約３０秒程度で行う（タイミングｔ３３８〜ｔ３３９）。
【０１１５】
本実施形態によれば、使用者が便座２００に着座した後に一連の動作として身体洗浄を実行するか否かにかかわらず、制御部４０５は、ノズル４７３の定期殺菌を実行する。そのため、流路２０の内部や、ノズル４７３の吐水口４７４の部分や、ノズル４７３の胴体をより確実に清潔な状態に保つことができる。
【０１１６】
図２２は、本実施形態にかかる衛生洗浄装置の動作の具体例を例示するタイミングチャートである。  
まず、着座検知センサ４０４が便座２００に着座した使用者を検知すると（タイミングｔ４０１）、制御部４０５は、流量切替弁４７１および流路切替弁４７２を「原点」から「ＳＣ（セルフクリーニング）」に切り替え、「おしり洗浄」および「ビデ洗浄」のための全ての吐水口４７４からの吐水を可能とする。このときの流量（水量）は、例えば約４５０ｃｃ／分である。
【０１１７】
続いて、流量切替弁４７１および流路切替弁４７２の切り替えが完了すると（タイミングｔ４０２）、制御部４０５は、電磁弁４３１を開き、温水ヒータ４４１を「捨水モード」に設定する。これにより、流路２０内の冷水が排水され、温水の準備が行われる。そして、制御部４０５は、温水ヒータ４４１を「捨水モード」から「保温制御モード」に設定変更した後に、電磁弁４３１を閉じる（タイミングｔ４０３〜ｔ４０４）。これは、温水ヒータ４４１は「ＯＦＦ」に設定された後でも余熱を発生するためである。すなわち、制御部４０５が温水ヒータ４４１を設定変更した後に電磁弁４３１を閉じるのは、いわゆる「後沸き防止」のためである。
【０１１８】
続いて、使用者が操作部５００に設けられた図示しない「おしり洗浄スイッチ」を押すと（タイミングｔ４０５）、制御部４０５は、流量切替弁４７１および流路切替弁４７２を「原点」から「ＳＣ」に切り替え、電磁弁４３１を開き、温水ヒータ４４１を「前洗浄モード、本洗浄モード、後洗浄モード」に設定する。これにより、ノズル４７３の前洗浄が行われる。続いて、制御部４０５は、流量切替弁４７１および流路切替弁４７２を「ＳＣ」から「バイパス２」に切り替え、ノズル洗浄室４７８に設けられた吐水部４７９から水を噴射可能とする（タイミングｔ４０６）。
【０１１９】
続いて、制御部４０５は、ケーシング４００に収納されていたノズル４７３を「おしり洗浄」の位置まで進出させる（タイミングｔ４０７〜ｔ４０８）。このとき、制御部４０５は、電磁弁４３１を開いているため、ノズル４７３の胴体は、吐水部４７９から噴射される水により洗浄される。
【０１２０】
続いて、制御部４０５は、流量切替弁４７１および流路切替弁４７２を「バイパス２」から「おしり水勢５」に切り替え、本洗浄（おしり洗浄）を開始する（タイミングｔ４０８〜ｔ４１０）。なお、例えば、使用者が「おしり洗浄」における水勢を「水勢５」から「水勢３」に操作部５００により設定変更した場合には、制御部４０５は、流量切替弁４７１および流路切替弁４７２を「おしり水勢５」から「おしり水勢３」に切り替える（タイミングｔ４１０〜ｔ４１１）。そして、制御部４０５は、「水勢３」において本洗浄を継続する（タイミングｔ４１１〜ｔ４１２）。
【０１２１】
以上のタイミングｔ４０１〜ｔ４１２の動作においては、制御部４０５は、電解槽ユニット４５０には通電せず殺菌水を生成しない。そのため、前洗浄（タイミングｔ４０５〜ｔ４０６）および胴体洗浄（タイミングｔ４０７〜ｔ４０８）においては、ノズル４７３は、水により物理的に洗浄される。また、「おしり洗浄」（タイミングｔ４０８〜ｔ４１２）においては、便座２００に着座した使用者の「おしり」は、ノズル４７３の吐水口４７４から噴射された水により洗浄される。
【０１２２】
使用者が操作部５００により図示しない「止スイッチ」を押すと、制御部４０５は、流量切替弁４７１および流路切替弁４７２を「おしり水勢３」から「バイパス２」に切り替え、ノズル洗浄室４７８に設けられた吐水部４７９から水を噴射可能とする（タイミングｔ４１２）。続いて、制御部４０５は、「おしり洗浄」の位置に進出していたノズル４７３をケーシング４００に収納する（タイミングｔ４１３〜ｔ４１４）。このとき、制御部４０５は、電磁弁４３１を開いており、電解槽ユニット４５０には通電していないため、ノズル４７３の胴体は、ノズル洗浄室４７８の吐水部４７９から噴射される水により物理的に洗浄される。
【０１２３】
続いて、ノズル４７３がケーシング４００に収納された状態において、制御部４０５は、流量切替弁４７１および流路切替弁４７２を「バイパス２」から「ＳＣ」に切り替え、「おしり洗浄」および「ビデ洗浄」のための全ての吐水口４７４から吐水することにより後洗浄を行う（タイミングｔ４１４〜ｔ４１５）。このときにも、制御部４０５は、電磁弁４３１を開いており、電解槽ユニット４５０には通電していないため、ノズル４７３の吐水口４７４の部分は、水により物理的に洗浄される。
【０１２４】
このように、本実施形態にかかる衛生洗浄装置１００は、供給された水により物理的にノズル４７３の胴体洗浄および後洗浄を行う。これにより、ノズル４７３に付着した汚水や汚物を洗い流し除去することができる。
【０１２５】
続いて、使用者が「おしり乾燥」を適宜行い便座２００から離座した後（タイミングｔ４１６）、所定時間（ここでは、２５秒間）が経過すると、制御部４０５は、流量切替弁４７１および流路切替弁４７２を「原点」から「ＳＣ」に切り替え、「おしり洗浄」および「ビデ洗浄」のための全ての吐水口４７４からの吐水を可能とする（タイミングｔ４１７）。また、制御部４０５は、電磁弁４３１を開き、温水ヒータ４４１を「前洗浄モード、本洗浄モード、後洗浄モード」に設定する（タイミングｔ４１７）。さらに、制御部４０５は、電解槽ユニット４５０への通電を開始し、殺菌水の生成を開始する（タイミングｔ４１８）。これにより、電解槽ユニット４５０において生成された殺菌水によるノズル４７３の前殺菌が行われる。なお、制御部４０５が電磁弁４３１を開いた後に（タイミングｔ４１７）、電解槽ユニット４５０への通電を開始するのは（タイミングｔ４１８）、電解槽ユニット４５０に設けられた電極の間に水がない状態で通電されることを防止するためである。
【０１２６】
続いて、制御部４０５は、流量切替弁４７１および流路切替弁４７２を「ＳＣ」から「原点」に切り替える（タイミングｔ４１９）。その後に、制御部４０５は、ケーシング４００に収納されていたノズル４７３を「最進出」の位置まで進出させる（タイミングｔ４２０〜ｔ４２１）。このとき、制御部４０５は、電磁弁４３１を開いており、電解槽ユニット４５０に通電しているため、ノズル４７３の胴体は、ノズル洗浄室４７８の吐水部４７９から噴射される殺菌水により殺菌される。続いて、制御部４０５は、「最進出」の位置に進出していたノズル４７３をケーシング４００に収納する（タイミングｔ４２１〜ｔ４２２）。このときにも、制御部４０５は、電磁弁４３１を開いており、電解槽ユニット４５０に通電しているため、ノズル４７３の胴体は、ノズル洗浄室４７８の吐水部４７９から噴射される殺菌水により殺菌される。
【０１２７】
続いて、制御部４０５は、流量切替弁４７１および流路切替弁４７２を「原点」から「ＳＣ」に再び切り替え、「おしり洗浄」および「ビデ洗浄」のための全ての吐水口４７４からの吐水を可能とする（タイミングｔ４２２）。このとき、制御部４０５は、電磁弁４３１を開いており、電解槽ユニット４５０に通電しているため、ノズル４７３の吐水口４７４の部分は、吐水口４７４自身が吐水した殺菌水により殺菌される。つまり、電解槽ユニット４５０において生成された殺菌水によるノズル４７３の後殺菌が行われる（タイミングｔ４２２〜ｔ４２３）。
【０１２８】
続いて、制御部４０５は、後殺菌を終了すると電解槽ユニット４５０への通電を停止し、流量切替弁４７１および流路切替弁４７２を「ＳＣ」から「原点」に切り替える（タイミングｔ４２３）。
【０１２９】
続いて、身体洗浄の不使用時間として所定時間（ここでは、８時間）が経過すると、制御部４０５は、流量切替弁４７１および流路切替弁４７２を「原点」から「ＳＣ」に再び切り替え、「おしり洗浄」および「ビデ洗浄」のための全ての吐水口４７４からの吐水を可能とする（タイミングｔ４２４）。また、制御部４０５は、電磁弁４３１を開き、温水ヒータ４４１を「前洗浄モード、本洗浄モード、後洗浄モード」に設定する（タイミングｔ４２４）。さらに、制御部４０５は、電解槽ユニット４５０への通電を開始し、殺菌水の生成を開始する（タイミングｔ４２５）。これにより、電解槽ユニット４５０において生成された殺菌水によるノズル４７３の定期殺菌が行われる（タイミングｔ４２４〜ｔ４２６）。
【０１３０】
次に、本実施形態の電解槽ユニット４５０の具体例について、図面を参照しつつ説明する。  
図２３は、本実施形態の電解槽ユニットの具体例を例示する断面模式図である。
【０１３１】
電解槽ユニット４５０は、図２３に表したように、その内部に陽極板４５１および陰極板４５２を有し、制御部４０５からの通電の制御によって、内部を流れる水道水を電気分解できる。ここで、水道水は、塩素イオンを含んでいる。この塩素イオンは、水源（例えば、地下水や、ダムの水や、河川などの水）に食塩（ＮａＣｌ）や塩化カルシウム（ＣａＣｌ２）として含まれている。そのため、その塩素イオンを電気分解することにより次亜塩素酸が生成される。その結果、電解槽ユニット４５０において電気分解された水は、次亜塩素酸を含む液に変化する。
【０１３２】
次亜塩素酸は、殺菌成分として機能し、その次亜塩素酸を含む溶液すなわち殺菌水は、アンモニアなどによる汚れを効率的に除去あるいは分解したり、殺菌することができる。ここで、本願明細書において「殺菌水」とは、次亜塩素酸などの殺菌成分を水道水（単に「水」ともいう）よりも多く含む溶液をいうものとする。
【０１３３】
このように、熱交換器ユニット４４０から供給された水道水は、電解槽ユニット４５０において電気分解されて次亜塩素酸を含む溶液となり、ノズルユニット４７０に導かれる。ノズルユニット４７０は、流量切替弁４７１と、流路切替弁４７２と、ノズル４７３と、を有する。そして、流路切替弁４７２は、電解槽ユニット４５０から供給された殺菌水をノズル４７３の吐水口４７４あるいはノズル洗浄室４７８（図２および図２４参照）に導くことができる。
【０１３４】
次に、本実施形態のノズルユニットの具体例について、図面を参照しつつ説明する。  
図２４は、本実施形態のノズルユニットの具体例を例示する斜視模式図である。
【０１３５】
本実施形態のノズルユニット４７０は、図２４に表したように、基台としての取付台４７５と、取付台４７５に支持されたノズル４７３と、ノズル４７３を移動させるノズルモータ４７６と、を有する。ノズル４７３は、図２４に表した矢印Ａのように、ベルトなどの伝動部材４７７を介してノズルモータ４７６から伝達される駆動力により、取付台４７５に対して摺動自在に設けられている。すなわち、ノズル４７３は、ノズル４７３自身の軸方向（進退方向）に直進移動することができる。そして、ノズル４７３は、ケーシング４００および取付台４７５から進退自在に移動できる。
【０１３６】
また、本実施形態のノズルユニット４７０には、ノズル洗浄室４７８が設けられている。ノズル洗浄室４７８は、取付台４７５に対して固定され、その内部に設けられた吐水部４７９から殺菌水あるいは水を噴射することにより、ノズル４７３の外周表面（胴体）を殺菌あるいは洗浄することができる。すなわち、制御部４０５が電解槽ユニット４５０の陽極板４５１および陰極板４５２に通電することにより殺菌水を生成する場合には、ノズル４７３の胴体は、吐水部４７９から噴射される殺菌水により殺菌される。一方で、制御部４０５が電解槽ユニット４５０の陽極板４５１および陰極板４５２に通電しない場合には、ノズル４７３の胴体は、吐水部４７９から噴射される水により物理的に洗浄される。
【０１３７】
より具体的には、ノズル４７３がケーシング４００に収納された状態において、ノズル４７３の吐水口４７４の部分はノズル洗浄室４７８の中にほぼ収容されている。そのため、ノズル洗浄室４７８は、その内部に設けられた吐水部４７９から殺菌水あるいは水を噴射することにより、収納された状態のノズル４７３の吐水口４７４の部分を殺菌あるいは洗浄することができる。また、ノズル洗浄室４７８は、ノズル４７３の進退時において吐水部４７９から水あるいは殺菌水を噴射することにより、吐水口４７４の部分だけではなく他の部分の外周表面を殺菌あるいは洗浄することができる。
【０１３８】
また、本実施形態のノズル４７３は、ノズル４７３がケーシング４００に収納された状態において、ノズル４７３自身が有する吐水口４７４から殺菌水あるいは水を吐水することにより吐水口４７４の部分を殺菌あるいは洗浄することができる。さらに、ノズル４７３がケーシング４００に収納された状態では、ノズル４７３の吐水口４７４の部分はノズル洗浄室４７８の中にほぼ収容されているため、ノズル４７３の吐水口４７４から吐水された殺菌水あるいは水は、ノズル洗浄室４７８の内壁により反射して吐水口４７４の部分にかかる。そのため、ノズル４７３の吐水口４７４の部分は、ノズル洗浄室４７８の内壁で反射した殺菌水あるいは水によっても殺菌あるいは洗浄される。
【０１３９】
次に、便器８００のボウル８０１へ向かって殺菌水を噴射する殺菌水吐水口４１１の具体例について、図面を参照しつつ説明する。  
図２５は、本実施形態の殺菌水吐水口の具体例を例示する断面模式図である。  
なお、図２５は、本実施形態にかかる衛生洗浄装置１００を備えたトイレ装置を前方から眺めたときの断面模式図である。
【０１４０】
本実施形態にかかる衛生洗浄装置１００は、殺菌水をボウル８０１に流したり、あるいは噴射する殺菌水吐水口４１１を備える。殺菌水吐水口４１１は、例えば、ケーシング４００の下面に付設されている。但し、殺菌水吐水口４１１の設置位置は、これだけに限定されるわけではなく、ケーシング４００の前面や、便器８００の上部や、便器８００の鉛直方向の中央部などに設けられていてもよい。また、殺菌水をボウル８０１の全体に流すために、あるいは噴射するために、殺菌水吐水口４１１にはスプレッダーや可動式ノズルなどが適宜設けられていてもよい。
【０１４１】
以上説明したように、本実施形態によれば、制御部４０５は、身体洗浄機能を停止する異常があったと判断した場合でも、ノズル４７３を殺菌することができる。あるいは、制御部４０５は、身体洗浄機能を停止する異常があったと判断した場合でも、便器８００を殺菌することができる。そのため、身体洗浄機能が停止した場合でも、流路２０の内部や、ノズル４７３の吐水口４７４の部分や、ノズル４７３の胴体や、便器８００のボウル８０１の表面において菌が繁殖することを抑制することができる。これにより、身体洗浄機能を停止する異常がある状態が、その異常がない状態に変化した後、流路２０の内部や、ノズル４７３の吐水口４７４の部分や、ノズル４７３の胴体や、便器８００のボウル８０１の表面を清潔な状態に保つことができる。
【０１４２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置などやノズル４７３やノズル洗浄室４７８や殺菌水吐水口４１１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【０１４３】
また、電解槽ユニット４５０において生成される殺菌水は、銀イオンや銅イオンなどの金属イオンを含む溶液であってもよい。あるいは、電解槽ユニット４５０において生成される殺菌水は、電解塩素やオゾンなどを含む溶液であってもよい。あるいは、電解槽ユニット４５０において生成される殺菌水は、酸性水やアルカリ水であってもよい。あるいは、殺菌水生成手段は、電解槽に限定されるわけではない。すなわち、殺菌水は、殺菌剤および殺菌液を水に溶解させることによって生成される殺菌水であってもよい。
【０１４４】
また、本発明の実施の形態では、制御部４０５は、身体洗浄機能を停止する異常があったと判断すると、例えば、殺菌開始待ちの時間をより長い時間に設定したり、人体検知手段が人体を検知した後にだけ殺菌動作を実行したり、使用者が便器洗浄を行った後にだけ殺菌動作を実行することにより、異常が発生している衛生洗浄装置１００の負担を軽減する。そして、身体洗浄機能が停止した場合でも、ノズル４７３および便器８００を清潔な状態に保つことができる。但し、これだけに限定されるわけではなく、制御部４０５は、流量切替弁４７１および流路切替弁４７２を制御することにより電解槽ユニット４５０に供給される水の流量をより少なくし、電解槽ユニット４５０において生成される殺菌水の濃度をより高めることで、異常が発生している衛生洗浄装置１００の負担を軽減してもよい。これによっても、ノズル４７３および便器８００を清潔な状態に保つことができる。
【符号の説明】
【０１４５】
１０ 給水源、  ２０ 流路、  １００ 衛生洗浄装置、  ２００ 便座、  ３００ 便蓋、  ３１０ 透過窓、  ４００ ケーシング、  ４０１ 電源回路、  ４０２ 入室検知センサ、  ４０３ 人体検知センサ、  ４０４ 着座検知センサ、  ４０５ 制御部、  ４０７ 排気口、  ４０８ 排出口、  ４０９ 凹設部、  ４１１ 殺菌水吐水口、  ４３１ 電磁弁、  ４４０ 熱交換器ユニット、  ４４１ 温水ヒータ、  ４５０ 電解槽ユニット、  ４５１ 陽極板、  ４５２ 陰極板、  ４７０ ノズルユニット、  ４７１ 流量切替弁、  ４７２ 流路切替弁、  ４７３ ノズル、  ４７４ 吐水口、  ４７５ 取付台、  ４７６ ノズルモータ、  ４７７ 伝動部材、  ４７８ ノズル洗浄室、  ４７９ 吐水部、  ５００ 操作部、  ８００ 洋式腰掛便器、  ８０１ ボウル
【図１】
0005471847.tif 000002
【図２】
0005471847.tif 000003
【図３】
0005471847.tif 000004
【図４】
0005471847.tif 000005
【図５】
0005471847.tif 000006
【図６】
0005471847.tif 000007
【図７】
0005471847.tif 000008
【図８】
0005471847.tif 000009
【図９】
0005471847.tif 000010
【図１０】
0005471847.tif 000011
【図１１】
0005471847.tif 000012
【図１２】
0005471847.tif 000013
【図１３】
0005471847.tif 000014
【図１４】
0005471847.tif 000015
【図１５】
0005471847.tif 000016
【図１６】
0005471847.tif 000017
【図１７】
0005471847.tif 000018
【図１８】
0005471847.tif 000019
【図１９】
0005471847.tif 000020
【図２０】
0005471847.tif 000021
【図２１】
0005471847.tif 000022
【図２２】
0005471847.tif 000023
【図２４】
0005471847.tif 000024
【図２５】
0005471847.tif 000025
【図２３】
0005471847.tif 000026